(57)【要約】【課題】トランスの二次側の出力電圧の過電圧に対する保護を迅速に行うことができる、スイッチング電源を提供する。【解決手段】電圧発生回路２２は、トランスの一次側に設けられた補助巻線に誘起される交流電圧の整流及び平滑により、直流電圧を出力する。この直流電圧が所定電圧を超えない場合、過電圧保護回路２３は、直流電圧から駆動電圧を生成して、その駆動電圧をスイッチング制御部２１の端子ＶＤＤに入力する。トランス１１の二次側の出力電圧が過電圧となって、補助巻線Ｌ３に誘起される交流電圧が高くなることにより、配線Ｗ４の直流電圧が所定電圧を超えると、過電圧保護回路２３は、過電圧と識別される電圧をスイッチング制御部２１の端子ＶＤＤに入力する。これに応じて、スイッチング制御部２１は、スイッチング素子１３のスイッチング動作を停止する。【選択図】図１
2019122205.tif 000002
【特許請求の範囲】
【請求項１】
トランスと、
前記トランスの一次コイルに接続されたスイッチング素子と、
前記トランスの一次側に設けられ、駆動電圧が入力される入力端子を有し、前記トランスの二次側の出力電圧が目標電圧となるように前記スイッチング素子のスイッチング制御を行い、前記入力端子に過電圧と識別される電圧が入力された際に前記スイッチング素子の前記スイッチング制御を停止するスイッチング制御部と、
前記トランスの一次側に設けられた補助巻線に誘起される交流電圧を整流及び平滑し、第１直流電圧として出力する電圧発生回路と、
前記電圧発生回路が出力する前記第１直流電圧が所定電圧を超えない場合、前記駆動電圧を前記第１直流電圧から生成して前記入力端子に入力し、前記第１直流電圧が前記所定電圧を超える場合、前記過電圧と識別される電圧を前記入力端子に入力する過電圧保護回路と、を備え、
前記補助巻線と前記スイッチング制御部とは、コンデンサを介して接続され、
前記スイッチング制御部は、
前記補助巻線に誘起される交流電圧の電圧上昇によって生じる前記コンデンサの電極間の電流、又は、電圧の変化に応じて、前記スイッチング制御を停止させる、
スイッチング電源。
【請求項２】
請求項１記載のスイッチング電源であって、
更に、
前記補助巻線の一端と他端との間に前記コンデンサと第１抵抗とが直列に接続され、前記コンデンサと前記第１抵抗との間の点が前記入力端子と接続され、前記過電圧と識別される電圧より低いバイアス電圧を前記入力端子に入力するバイアス電圧入力回路、を備え、
前記スイッチング制御部は、
前記入力端子に前記バイアス電圧が入力されている状態から更に前記駆動電圧が入力されて、前記入力端子に前記過電圧を超える電圧が入力された際に前記スイッチング素子の前記スイッチング制御を停止する、
スイッチング電源。
【請求項３】
請求項１記載のスイッチング電源であって、
前記スイッチング制御部は、電流入力端子を備え、
前記電流入力端子と前記補助巻線の一端とが前記コンデンサを介して接続され、
前記スイッチング制御部は、前記コンデンサの電極間に生じる電流によって、前記スイッチング素子のスイッチングを停止する、
スイッチング電源。
【請求項４】
請求項１記載のスイッチング電源であって、
前記過電圧保護回路は、前記補助巻線の一端と前記入力端子との間にツェナーダイオードを有する、
スイッチング電源。
【請求項５】
請求項４記載のスイッチング電源であって、
前記コンデンサは、前記補助巻線と前記ツェナーダイオードとの間に設けられている、
スイッチング電源。
【発明の詳細な説明】
【技術分野】
【０００１】
本発明は、スイッチング電源に関する。
【背景技術】
【０００２】
従来、スイッチング素子のスイッチング動作により交流電圧を直流電圧に変換するスイッチング電源がある。
【０００３】
スイッチング電源は、制御回路を備えている。制御回路は、トランスの一次巻線に接続されたスイッチング素子と、スイッチング素子を制御するスイッチング制御部とを有している。スイッチング素子のスイッチング動作により、トランスの二次巻線に交流電圧が誘起される。二次巻線に誘起される交流電圧が整流および平滑されることにより、直流電圧である二次側出力電圧が生成される。そして、二次側出力電圧がスイッチング制御部にフィードバックされて、スイッチング制御部がスイッチング素子を制御することにより、二次側出力電圧が一定に保たれる。また、トランスの一次側には、補助巻線が設けられている。補助巻線に誘起される交流電圧を整流及び平滑して得られる駆動電圧が制御回路に入力され、その駆動電圧によって制御回路が駆動される。
【０００４】
たとえば、下記の特許文献１に開示されているスイッチング電源装置には、補助巻線に誘起される交流電圧の整流及び平滑により得られる直流電圧が電圧降下することによって、制御回路への駆動電圧が生成される定電圧ダイオードが設けられている。
【０００５】
このスイッチング電源装置では、更に、定電圧ダイオードの入力側と出力側とを短絡させる短絡部が設けられている。二次側出力電圧が過電圧となって、補助巻線に誘起される交流電圧が高くなり、補助巻線に誘起される交流電圧を整流及び平滑した直流電圧が高くなると、短絡部は、定電圧ダイオードの入力側と出力側とを短絡させる。これにより、その高くなった直流電圧が駆動電圧として制御回路に入力される。制御回路は、駆動電圧が過電圧保護設定電圧を超えたことに応じて、過電圧保護機能を作動させ、二次側出力電圧が低下するようスイッチング素子を制御する。
【先行技術文献】
【特許文献】
【０００６】
【特許文献１】特開２００９−１９５０７３号公報
【発明の概要】
【発明が解決しようとする課題】
【０００７】
しかし、特許文献１に開示されているスイッチング電源装置では、補助巻線に誘起される交流電圧が所定電圧を超えてから短絡部が短絡するため、過電圧保護機能が作動するタイミングが遅いという問題がある。
【０００８】
本発明の目的は、トランスの二次側の出力電圧の過電圧に対する保護を迅速に行うことができる、スイッチング電源を提供することである。
【課題を解決するための手段】
【０００９】
前記の目的を達成するため、本発明に係るスイッチング電源は、トランスと、トランスの一次コイルに接続されたスイッチング素子と、トランスの一次側に設けられ、駆動電圧が入力される入力端子を有し、トランスの二次側の出力電圧が目標電圧となるようにスイッチング素子のスイッチング制御を行い、入力端子に過電圧と識別される電圧が入力された際にスイッチング素子のスイッチング制御を停止するスイッチング制御部と、トランスの一次側に設けられた補助巻線に誘起される交流電圧を整流及び平滑し、第１直流電圧として出力する電圧発生回路と、電圧発生回路が出力する第１直流電圧が所定電圧を超えない場合、駆動電圧を第１直流電圧から生成して、入力端子に入力し、第１直流電圧が所定電圧を超える場合、過電圧と識別される電圧を入力端子に入力する過電圧保護回路と、を備え、補助巻線とスイッチング制御部とは、コンデンサを介して接続され、スイッチング制御部は、補助巻線に誘起される交流電圧の電圧上昇によって生じるコンデンサの電極間の電流、又は、電圧の変化に応じて、スイッチング制御を停止させる。
【００１０】
この構成によれば、電圧発生回路は、トランスの一次側に設けられた補助巻線に誘起される交流電圧の整流及び平滑により、第１直流電圧を出力する。第１直流電圧が所定電圧を超えない場合、過電圧保護回路は、第１直流電圧から駆動電圧を生成して、その駆動電圧をスイッチング制御部の入力端子に入力する。スイッチング制御部は、入力端子に入力される駆動電圧で駆動される。
【００１１】
トランスの二次側の出力電圧が過電圧となって、補助巻線に誘起される交流電圧が高くなることにより、第１直流電圧が所定電圧を超えると、過電圧保護回路は、過電圧と識別される電圧をスイッチング制御部の入力端子に入力する。これに応じて、スイッチング制御部は、スイッチング素子のスイッチング制御を停止する。
【００１２】
また、補助巻線とスイッチング制御部とは、コンデンサを介して接続されている。補助巻線に誘起される交流電圧が上昇を開始すると、補助巻線とスイッチング制御部との間のコンデンサの電極間の電流又は電圧が変化する。スイッチング制御部は、過電圧保護回路に対する過電圧と識別される電圧の入力に加えて、この電流又は電圧の変化に応じて、スイッチング素子のスイッチング制御を停止する。これにより、トランスの二次側の出力電圧が過電圧となったときに、第１直流電圧が所定電圧値を超える前に、スイッチング素子のスイッチング制御を停止させることができる。
【００１３】
よって、トランスの二次側の出力電圧の過電圧に対する保護を迅速に行うことができる。
【発明の効果】
【００１４】
本発明によれば、トランスの二次側の出力電圧の過電圧に対する保護を迅速に行うことができる。
【図面の簡単な説明】
【００１５】
【図１】本発明の第１実施形態に係るスイッチング電源の回路図である。
【図２】本発明の第２実施形態に係るスイッチング電源の回路図である。
【図３】本発明の第３実施形態に係るスイッチング電源の回路図である。
【発明を実施するための形態】
【００１６】
以下では、本発明の実施の形態について、添付図面を参照しつつ詳細に説明する。
【００１７】
＜第１実施形態＞
図１に示されるスイッチング電源１は、商用交流電源ＡＣから一対の給電線ＰＳ１，ＰＳ２を介して供給される交流電圧を直流電圧に変換するものであり、たとえば、プリンタなどの電子機器に搭載される。スイッチング電源１は、トランス１１を備えており、このトランス１１を境に、一次巻線Ｌ１が設けられる一次側と二次巻線Ｌ２が設けられる二次側とに分かれている。また、トランス１１には、補助巻線Ｌ３が一次側に設けられている。
【００１８】
スイッチング電源１は、トランス１１の一次側に、一次側整流平滑回路１２およびスイッチング素子１３を備えている。
【００１９】
一次側整流平滑回路１２には、ダイオードブリッジ１４および平滑コンデンサＣ１が含まれる。
【００２０】
ダイオードブリッジ１４は、４個のダイオードＤ１，Ｄ２，Ｄ３，Ｄ４をブリッジ接続した構成の回路である。具体的には、ダイオードブリッジ１４では、２個のダイオードＤ１，Ｄ２の直列回路と残りの２個のダイオードＤ３，Ｄ４の直列回路とが並列に接続されている。一方の直列回路におけるダイオードＤ１，Ｄ２の接続点および他方の直列回路におけるダイオードＤ３，Ｄ４の接続点には、それぞれ給電線ＰＳ１，ＰＳ２が接続されている。ダイオードＤ１，Ｄ２の直列回路とダイオードＤ３，Ｄ４の直列回路との一方の接続点は、配線Ｗ１を介してトランス１１の一次巻線Ｌ１の一端に接続され、他方の接続点は、配線Ｗ２を介して一次巻線Ｌ１の他端に接続されている。
【００２１】
平滑コンデンサＣ１の一方の電極は、配線Ｗ１に接続され、他方の電極は、配線Ｗ２に接続されている。
【００２２】
商用交流電源ＡＣから供給される交流電圧は、ダイオードブリッジ１４により全波整流され、その全波整流後の電圧が平滑コンデンサＣ１で平滑化されることにより、配線Ｗ１，Ｗ２間に直流電圧が発生する。
【００２３】
スイッチング素子１３は、Ｎチャネル型のＭＯＳＦＥＴ（ＮＭＯＳ）からなり、そのドレイン端子が配線Ｗ２に接続されている。スイッチング素子１３のソース端子は、抵抗Ｒ１を介して接地されている。スイッチング素子１３は、ゲート端子に入力される電圧により、スイッチング動作（オン／オフ）する。
【００２４】
スイッチング素子１３がオンにされると、トランス１１の一次巻線Ｌ１に電流が流れ、一次巻線Ｌ１にエネルギが蓄積される。その後、スイッチング素子１３がオフにされると、一次巻線Ｌ１に蓄積されたエネルギが開放されて、一次巻線Ｌ１に起電力が生じ、トランス１１の二次巻線Ｌ２に一次巻線Ｌ１と二次巻線Ｌ２との巻数比に応じた二次電圧が発生する。スイッチング素子１３のオン／オフが繰り返されることにより、二次電圧がパルス的に発生する。
【００２５】
スイッチング電源１は、トランス１１の二次側に、二次側整流平滑回路１５および定電圧回路１６を備えている。
【００２６】
二次側整流平滑回路１５は、整流ダイオードＤ５および平滑コンデンサＣ２を含む。トランス１１の二次巻線Ｌ２の一端は、配線Ｗ３を介して出力端子に接続され、その他端は、グランドラインＧ（０Ｖ）に接続されている。整流ダイオードＤ５は、アノードを二次巻線Ｌ２側に向けて、配線Ｗ３の途中部に介装されている。平滑コンデンサＣ２の一方の電極は、整流ダイオードＤ５のカソード側で配線Ｗ３に接続され、他方の電極は、グランドラインＧに接続されている。二次巻線Ｌ２にパルス的に発生する二次電圧は、二次側整流平滑回路１５により整流および平滑化されて、直流電圧に変換される。
【００２７】
定電圧回路１６は、シャントレギュレータＩＣ（Integrated Circuit）１７、抵抗Ｒ２，Ｒ３，Ｒ４およびフォトカプラＰＣを含む。抵抗Ｒ２，Ｒ３は、直列に接続されている。抵抗Ｒ２，Ｒ３の直列回路の一端は、配線Ｗ３に接続され、他端は、グランドラインＧに接続されている。シャントレギュレータＩＣ１７には、抵抗Ｒ２と抵抗Ｒ３との接続点の電圧が基準電圧として入力される。フォトカプラＰＣの発光ダイオードＰＤは、アノードが抵抗Ｒ４を介して配線Ｗ３に接続され、カソードがシャントレギュレータＩＣ１７に接続されている。この構成により、一定の電圧（Ｏｕｔｐｕｔ）が出力端子から出力される。また、出力端子から出力される電圧（以下、「二次側の出力電圧」という。）が基準電圧を超えると、フォトカプラＰＣの発光ダイオードＰＤが発光する。
【００２８】
スイッチング電源１は、トランス１１の一次側に、スイッチング制御部２１を備えている。スイッチング制御部２１は、ＣＰＵなどを内蔵するＩＣからなり、第１端子ＦＢ、第２端子ＯＵＴ、第３端子ＶＣＣおよび第４端子ＶＤＤを有している。
【００２９】
フォトカプラＰＣの受光側のフォトトランジスタＰＴは、抵抗Ｒ５を介して、第１端子ＦＢに接続されている。これにより、二次側の出力電圧が基準電圧を超えて、フォトカプラＰＣの発光ダイオードＰＤが発光すると、フォトトランジスタＰＴが導通し、第１端子ＦＢに電圧が入力される。二次側の出力電圧と基準電圧との電位差に応じて、発光ダイオードＰＤに流れる電流が増減するので、発光ダイオードＰＤの発光量が増減する。発光量の増減に応じて、フォトトランジスタＰＴを流れる電流が変化するので、第１端子ＦＢに入力される電圧が変化する。
【００３０】
スイッチング制御部２１の第２端子ＯＵＴは、抵抗Ｒ６を介して、スイッチング素子１３のゲート端子に接続されている。スイッチング制御部２１は、二次側の出力電圧に応じて変化する第１端子ＦＢの入力電圧に基づいて、スイッチング素子１３のスイッチング動作のデューティ比を制御する。これにより、二次側の出力電圧が一定に保たれる。
【００３１】
さらに、スイッチング電源１は、トランス１１の一次側に、電圧発生回路２２および過電圧保護回路２３を備えている。
【００３２】
電圧発生回路２２は、整流ダイオードＤ６、抵抗Ｒ７および平滑コンデンサＣ３を含む。補助巻線Ｌ３の一端には、配線Ｗ４が接続されている。整流ダイオードＤ６は、アノードを補助巻線Ｌ３側に向けて、配線Ｗ４の途中に介装されている。抵抗Ｒ７は、整流ダイオードＤ６のアノードと補助巻線Ｌ３の一端との間に介装されている。平滑コンデンサＣ３の一方の電極は、整流ダイオードＤ６のカソード側で配線Ｗ４に接続され、他方の電極は、グランドラインＧに接続されている。二次巻線Ｌ２に二次電圧がパルス的に発生すると、補助巻線Ｌ３に電圧がパルス的に発生する。その補助巻線Ｌ３にパルス的に発生する電圧は、電圧発生回路２２により整流および平滑化されて、直流電圧に変換される。
【００３３】
過電圧保護回路２３は、ＮＰＮトランジスタＴｒおよび３個のツェナーダイオードＺＤ１，ＺＤ２，ＺＤ３を含む。ＮＰＮトランジスタＴｒのコレクタは、配線Ｗ４に接続されている。ＮＰＮトランジスタＴｒのエミッタは、スイッチング制御部２１の第３端子ＶＣＣに接続されている。ツェナーダイオードＺＤ１，ＺＤ２は、直列に接続されて、一方のツェナーダイオードＺＤ１のカソードがＮＰＮトランジスタＴｒのコレクタに接続され、他方のツェナーダイオードＺＤ２のアノードがＮＰＮトランジスタＴｒのエミッタに接続されている。ツェナーダイオードＺＤ３のカソードは、ＮＰＮトランジスタＴｒのベースに接続され、ツェナーダイオードＺＤ３のアノードは、グランドラインＧに接続されている。また、ＮＰＮトランジスタＴｒのコレクタとツェナーダイオードＺＤ３のカソードとの間には、抵抗Ｒｃが介在されている。
【００３４】
トランス１１の二次側の出力電圧が定常状態であるときには、配線Ｗ４の直流電圧によりツェナーダイオードＺＤ３および抵抗Ｒｃに電流が流れ、スイッチング制御部２１の第３端子ＶＣＣに、ツェナーダイオードＺＤ３の降伏電圧からＮＰＮトランジスタＴｒのベース−エミッタ間電圧だけ低下した定電圧が入力される。
【００３５】
たとえば、スイッチング電源１にフォトカプラＰＣの故障などの異常が発生し、スイッチング制御部２１によるスイッチング素子１３のスイッチング動作の正常な制御が不能になり、スイッチング素子１３が最大デューティ比でスイッチング動作すると、二次側の出力電圧が上昇し始め、これに伴って、補助巻線Ｌ３に誘起される電圧が上昇し、配線Ｗ４の直流電圧が上昇し始める。配線Ｗ４の直流電圧の上昇により、ツェナーダイオードＺＤ１，ＺＤ２が導通すると、スイッチング制御部２１の第３端子ＶＣＣに、配線Ｗ４の直流電圧からツェナーダイオードＺＤ１，ＺＤ２の耐圧電圧を差し引いた分の電圧が入力される。第３端子ＶＣＣに入力される電圧が過電圧と識別される所定電圧値を超えたことに応じて、スイッチング制御部２１は、過電圧保護機能を作動させ、スイッチング素子１３のスイッチング動作を停止して、二次側の出力電圧を低下させる。
【００３６】
ところが、駆動電圧が過電圧と識別される所定電圧値を超えるまでは、過電圧保護機能が作動しないため、過電圧保護機能が作動するタイミングが遅い場合がある。そこで、スイッチング電源１には、トランス１１の一次側に、電流入力回路２４が設けられている。
【００３７】
電流入力回路２４は、抵抗Ｒ８およびコンデンサＣ４を含む。コンデンサＣ４の一方の電極は、補助巻線Ｌ３と抵抗Ｒ７との間で配線Ｗ４に接続され、他方の電極は、抵抗Ｒ８の一端に接続されている。抵抗Ｒ８の他端は、スイッチング制御部２１の第４端子ＶＤＤに接続されている。
【００３８】
二次側の出力電圧が一定の電圧であるときには、補助巻線Ｌ３に誘起される電圧が一定であるから、スイッチング制御部２１の第４端子ＶＤＤには、一定の振幅で正弦波状に変化する電流が入力される。二次側の出力電圧が変動すると、補助巻線Ｌ３に誘起される電圧が変動するので、スイッチング制御部２１の第４端子ＶＤＤに入力される電流（コンデンサＣ４を流れる電流）の大きさが変化する。この電流の変化に応じて、スイッチング制御部２１は、スイッチング素子１３のスイッチング動作を停止する。これにより、二次側の出力電圧が過電圧となったときに、スイッチング制御部２１の第３端子ＶＣＣに過電圧と識別される所定電圧値が入力される前に、スイッチング素子１３のスイッチング制御を停止させることができる。
【００３９】
＜作用効果＞
このように、トランス１１の二次側の出力電圧が一定の電圧から過電圧に変化したことに応じて、補助巻線Ｌ３に誘起される電圧が変化し、コンデンサＣ４に印加される電圧が変化することにより、抵抗Ｒ８を介してスイッチング制御部２１の第４端子ＶＤＤに入力される電流の大きさが変化する。この電流の大きさの変化は、配線Ｗ４の直流電圧がツェナーダイオードＺＤ１，ＺＤ２の各降伏電圧を超えるよりも早く現れる。よって、二次側の出力電圧の過電圧に対する保護を迅速に行うことができる。
【００４０】
＜第２実施形態＞
図２は、本発明の第２実施形態に係るスイッチング電源１０１の回路図である。図２において、図１に示される各部に相当する部分には、それらの各部と同一の参照符号が付されている。また、以下では、その同一の参照符号が付された部分の説明を省略し、図２に示される構成について、図１に示される構成との相違点のみを説明する。
【００４１】
図２に示されるスイッチング電源１０１では、図１に示されるスイッチング電源１の構成から電流入力回路２４が省かれて、バイアス電圧入力回路１０２が追加されている。
【００４２】
バイアス電圧入力回路１０２は、抵抗Ｒ９およびコンデンサＣ５を含む。コンデンサＣ５の一方の電極は、補助巻線Ｌ３と抵抗Ｒ７との間で配線Ｗ４に接続され、他方の電極は、抵抗Ｒ９の一端に接続されている。抵抗Ｒ９の他端は、グランドラインＧに接続されている。また、抵抗Ｒ９とコンデンサＣ５との接続点がスイッチング制御部２１の第３端子ＶＣＣに接続されている。
【００４３】
二次側の出力電圧が一定の電圧であるときには、補助巻線Ｌ３に誘起される電圧が一定であるから、スイッチング制御部２１の第３端子ＶＣＣには、二次側の出力電圧に応じた駆動電圧に加えて、抵抗Ｒ９とコンデンサＣ５との接続点の電圧が入力される。二次側の出力電圧が上昇すると、補助巻線Ｌ３に誘起される電圧が上昇するので、駆動電圧が上昇し、抵抗Ｒ９とコンデンサＣ５との接続点の電圧の振幅が上昇する。そのため、二次側の出力電圧が上昇した場合に、駆動電圧の値が過電圧と識別される所定電圧値を超えるよりも先に、駆動電圧に抵抗Ｒ９とコンデンサＣ５との接続点の電圧を加えた電圧値が所定電圧値を超える。これに応じて、スイッチング制御部２１は、過電圧保護機能を作動させ、スイッチング素子１３のスイッチング動作を停止して、二次側の出力電圧を低下させる。
【００４４】
＜作用効果＞
この構成によっても、二次側の出力電圧が過電圧となったときに、スイッチング制御部２１の第３端子ＶＣＣに入力される駆動電圧が過電圧と識別される所定電圧値を超える前に、スイッチング素子１３のスイッチング制御を停止させることができる。よって、二次側の出力電圧の過電圧に対する保護を迅速に行うことができる。
【００４５】
なお、二次側の出力電圧が一定の電圧である定常状態において、抵抗Ｒ９とコンデンサＣ５との接続点の電圧の値は、過電圧と識別される所定電圧値を超えないように、抵抗Ｒ９の抵抗値およびコンデンサＣ５の静電容量が決定されている。
【００４６】
＜第３実施形態＞
図３は、本発明の第３実施形態に係るスイッチング電源２０１の回路図である。図３において、図１に示される各部に相当する部分には、それらの各部と同一の参照符号が付されている。また、以下では、その同一の参照符号が付された部分の説明を省略し、図３に示される構成について、図１に示される構成との相違点のみを説明する。
【００４７】
図３に示されるスイッチング電源２０１では、図１に示されるスイッチング電源１の構成から電流入力回路２４が省かれて、コンデンサＣ６とダイオードＤ７とを直列接続した回路２０２が追加されている。
【００４８】
コンデンサＣ６の一方の電極は、ＮＰＮトランジスタＴｒのコレクタに接続され、他方の電極は、ダイオードＤ７のカソードに接続されている。ダイオードＤ７のアノードは、補助巻線Ｌ３の一端と電圧発生回路２２の抵抗Ｒ７との間で配線Ｗ４に接続されている。
【００４９】
図１に示される回路と同様に、トランス１１の二次側の出力電圧が定常状態では、スイッチング制御部２１の第３端子ＶＣＣに、ツェナーダイオードＺＤ３の降伏電圧からＮＰＮトランジスタＴｒのベース−エミッタ間電圧だけ低下した定電圧が入力される。二次側の出力電圧が急峻に上昇し、これに伴って、補助巻線Ｌ３に誘起される電圧が急峻に上昇すると、コンデンサＣ６とダイオードＤ７とを直列接続した回路２０２に電流が流れる。これに応じて、ツェナーダイオードＺＤ１，ＺＤ２が導通すると、スイッチング制御部２１の第３端子ＶＣＣに配線Ｗ４の直流電圧からツェナーダイオードＺＤ１，ＺＤ２の耐圧電圧を差し引いた分の電圧が入力される。第３端子ＶＣＣに入力される電圧が過電圧と識別される所定電圧値を超えたことに応じて、スイッチング制御部２１は、過電圧保護機能を作動させ、スイッチング素子１３のスイッチング動作を停止して、二次側の出力電圧を低下させる。二次側の出力電圧が緩やかに上昇した場合は、図１に示される回路と同様に、配線Ｗ４の直流電圧がツェナーダイオードＺＤ１，ＺＤ２の各降伏電圧を超えてツェナーダイオードＺＤ１，ＺＤ２が導通すると、スイッチング制御部２１の第３端子ＶＣＣに配線Ｗ４の直流電圧からツェナーダイオードＺＤ１，ＺＤ２の耐圧電圧を差し引いた分の電圧が入力される。
【００５０】
＜作用効果＞
この構成によれば、二次側の出力電圧が急峻に上昇した場合に、スイッチング制御部２１の第３端子ＶＣＣに入力される駆動電圧が過電圧と識別される所定電圧値を超える前に、スイッチング素子１３のスイッチング制御を停止させることができる。よって、二次側の出力電圧の過電圧に対する保護を迅速に行うことができる。
【００５１】
＜変形例＞
以上、本発明の３つの実施形態について説明したが、本発明は、他の形態で実施することもでき、前述の構成には、特許請求の範囲に記載された事項の範囲で種々の設計変更を施すことが可能である。
【符号の説明】
【００５２】
１，１０１，２０１：スイッチング電源
１１：トランス
１３：スイッチング素子
２１：スイッチング制御部
２２：電圧発生回路
２３：過電圧保護回路
１０２，２０２：バイアス電圧入力回路
Ｃ４，Ｃ５，Ｃ６：コンデンサ
ＺＤ１，ＺＤ２：ツェナーダイオード
【図１】
2019122205.tif 000003
【図２】
2019122205.tif 000004
【図３】
2019122205.tif 000005